(57)【要約】【課題】有価媒体処理装置で内部に収納された損傷媒体の精査処理を行う。【解決手段】貨幣を含む有価媒体を内部に収納して該有価媒体のデータを管理する有価媒体処理装置であって、種類を自動識別できない損傷媒体を収納する収納部と、損傷媒体の価値及び種類が登録された入金データ、並びに該入金データに登録された損傷媒体の画像である媒体画像が保存された記憶部と、収納部に収納された損傷媒体の枚数を取得する収納枚数取得部と、精査処理として、入金データに登録された損傷媒体の媒体画像に基づく価値及び種類が入金データに登録された損傷媒体の価値及び種類と一致することを確認するための登録データ確認処理、並びに収納部に収納された前記損傷媒体の収納枚数が入金データに登録された損傷媒体の登録数と一致することを確認する登録数確認処理を行う制御部とによって構成する。【選択図】  図１
2015060301.tif 000002
【特許請求の範囲】
【請求項１】
貨幣を含む有価媒体を内部に収納して該有価媒体のデータを管理する有価媒体処理装置であって、
種類を自動識別できない損傷媒体を収納する収納部と、
前記損傷媒体の価値及び種類が登録された入金データ、並びに該入金データに登録された前記損傷媒体の画像である媒体画像が保存された記憶部と、
前記収納部に収納された前記損傷媒体の枚数を取得する収納枚数取得部と、
精査処理として、前記入金データに登録された損傷媒体の媒体画像に基づく価値及び種類が前記入金データに登録された前記損傷媒体の価値及び種類と一致することを確認するための登録データ確認処理、並びに前記収納部に収納された前記損傷媒体の収納枚数が前記入金データに登録された前記損傷媒体の登録数と一致することを確認する登録数確認処理を行う制御部と
を備えることを特徴とする有価媒体処理装置。
【請求項２】
前記媒体画像を表示する表示部
をさらに備え、
前記記憶部に前記有価媒体の画像であるサンプル画像が保存されており、
前記制御部は、前記登録データ確認処理時に、前記入金データに登録された損傷媒体の媒体画像と前記入金データに登録された前記損傷媒体の種類に対応する前記サンプル画像とを並べて表示する
ことを特徴とする請求項１に記載の有価媒体処理装置。
【請求項３】
前記損傷媒体の価値及び種類を入力するための操作部
をさらに備え、
前記制御部は、前記登録データ確認処理時に、前記操作部による前記損傷媒体の価値及び／又は種類の修正入力を受け付けて、該修正入力に基づき前記記憶部に保存された前記入金データを修正する
ことを特徴とする請求項１又は２に記載の有価媒体処理装置。
【請求項４】
前記制御部は、前記入金データに登録された全てのデータについて前記登録データ確認処理を行った後に前記登録数確認処理を行うことを特徴とする請求項１、２又は３に記載の有価媒体処理装置。
【請求項５】
前記収納部に収納された損傷媒体から特徴量を取得する特徴取得部
をさらに備え、
前記記憶部に前記入金データに登録された前記損傷媒体の特徴量が登録された特徴データが保存されており、
前記制御部は、前記特徴取得部によって取得した損傷媒体の特徴量が前記特徴データと一致することを確認する処理を行う
ことを特徴とする請求項１〜４のいずれか１項に記載の有価媒体処理装置。
【請求項６】
貨幣を含む有価媒体を内部に収納して該有価媒体のデータを管理する有価媒体処理装置であって、
種類を自動識別できない損傷媒体を収納する収納部と、
前記損傷媒体の価値及び種類が登録された入金データ、並びに該入金データに登録された前記損傷媒体の特徴量が登録された特徴データが保存された記憶部と、
前記収納部に収納された損傷媒体から特徴量を取得する特徴取得部と、
精査処理として、前記特徴取得部によって取得した特徴量が前記特徴データに登録された特徴量と一致することを確認する特徴量確認処理を行う制御部と
を備えることを特徴とする有価媒体処理装置。
【請求項７】
前記記憶部に前記入金データに登録された前記損傷媒体の画像である媒体画像が保存されており、
前記制御部は、前記入金データに登録された損傷媒体の媒体画像に基づく価値及び種類が前記入金データに登録された前記損傷媒体の価値及び種類と一致することを確認するための登録データ確認処理を行う
ことを特徴とする請求項６に記載の有価媒体処理装置。
【請求項８】
前記制御部は、前記特徴量確認処理で前記特徴取得部によって取得した特徴量が前記特徴データに登録された特徴量と一致しない損傷媒体についてのみ、前記登録データ確認処理を行うことを特徴とする請求項７に記載の有価媒体処理装置。
【請求項９】
前記損傷媒体の所定位置の長さ及び／又は前記損傷媒体を透過する透過光量に関する値が特徴量として前記特徴データに登録されることを特徴とする請求項６、７又は８に記載の有価媒体処理装置。
【請求項１０】
前記収納部を複数有し、
前記制御部は、前記精査処理を収納部単位で実行する
ことを特徴とする請求項１〜９のいずれか１項に記載の有価媒体処理装置。
【請求項１１】
有価媒体処理装置により貨幣を含む有価媒体を管理する有価媒体処理方法であって、
種類を自動識別できない損傷媒体を収納部に収納する収納工程と、
前記損傷媒体の価値及び種類を入金データに登録すると共に、該入金データに登録された前記損傷媒体の画像である媒体画像を保存するデータ保存工程と、
精査処理として、前記入金データに登録された損傷媒体の媒体画像に基づく価値及び種類が前記入金データに登録された前記損傷媒体の価値及び種類と一致することを確認するための登録データ確認工程と、
前記精査処理として、前記収納部に収納された前記損傷媒体の枚数を取得して、取得枚数が前記入金データに登録された前記損傷媒体の登録数と一致することを確認する登録数確認工程と
を含んだことを特徴とする有価媒体処理方法。
【請求項１２】
有価媒体処理装置により貨幣を含む有価媒体を管理する有価媒体処理方法であって、
種類を自動識別できない損傷媒体を収納部に収納する収納工程と、
前記損傷媒体の価値及び種類を入金データに登録すると共に、該入金データに登録された前記損傷媒体の特徴量を特徴データに登録するデータ登録工程と、
前記収納部に収納された損傷媒体から特徴量を取得する特徴取得工程と、
精査処理として、前記特徴取得工程によって取得した特徴量が前記特徴データに登録された特徴量と一致することを確認する特徴量確認工程と
を含んだことを特徴とする有価媒体処理方法。
【発明の詳細な説明】
【技術分野】
【０００１】
この発明は、有価媒体の入金を受け付けて内部に収納すると共に収納済み有価媒体の精査を行う有価媒体処理装置及び有価媒体処理方法に関し、特に、損傷貨幣を含む有価媒体の入金受付及び精査を行うことができる有価媒体処理装置及び有価媒体処理方法に関する。
【背景技術】
【０００２】
従来、銀行等の金融機関では、出納機等の貨幣処理装置を利用して大量の貨幣が管理されている。貨幣処理装置では、各貨幣の金種、真偽及び正損を識別して計数することにより、入出金される貨幣を厳正に管理することができる。例えば、複数の紙幣が貨幣処理装置に入金されると、各紙幣は、金種等が識別された後、識別結果に応じて対応する収納部に金種別に収納される。また、識別結果に基づいて、入金された各紙幣の金種、枚数、全紙幣の合計金額等が含まれる入金データが貨幣処理装置内で管理される。
【０００３】
貨幣処理装置では、貨幣の特徴を読み取って貨幣を識別計数する処理を行うため、特徴を読み取れないほど損傷した貨幣は、識別できない貨幣として装置外にリジェクトされる。このように貨幣処理装置に収納できないほど損傷度合いの激しい貨幣は、金額や枚数等、入金データのみを貨幣処理装置に入力して、現物は貨幣処理装置の外で管理する。
【０００４】
例えば、特許文献１には、貨幣処理装置に入金できない貨幣、小切手、金券類等を、ポストと呼ばれる専用の収納箱に収納して管理する方法が開示されている。機械受付できないほど損傷した紙幣や硬貨、貨幣処理装置では処理できない小切手や手形等、様々な有価媒体の現物をポストに収納して、収納した有価媒体の金種や金額等の価値を入金データとして貨幣処理装置に入力して管理する。
【先行技術文献】
【特許文献】
【０００５】
【特許文献１】特開２００３−１５０７９３号公報
【特許文献２】特開２０１０−２６９９２号公報
【発明の概要】
【発明が解決しようとする課題】
【０００６】
しかしながら、上記従来技術では、有価媒体現物と該有価媒体の価値を入力した入金データとの一致を確認する作業に過大な負担がかかるという問題があった。例えば、貨幣処理装置では、装置内に収納された貨幣に係る入金データと、貨幣現物とを比較して一致することを確認する精査処理が自動的に行われる。具体的には、貨幣処理装置内で、装置内に収納された貨幣現物を再識別して、入金データと一致することを確認することにより、精査処理を自動的に行うことができる。
【０００７】
ところが、ポストに収納された有価媒体は、装置内には収納されておらず、装置に投入しても機械識別できないものであるから、精査処理を自動的に行うことができない。このため、例えば、ポストから有価媒体を取り出して種類別に仕分けて枚数を数え、価値を算出し入金データと照合する処理を、全て手作業で行わなければならない。
【０００８】
本発明は、上記従来技術の課題を解消するためになされたもので、損傷貨幣を含む有価媒体の精査処理を行うことができる有価媒体処理装置及び有価媒体処理方法を提供することを目的とする。
【課題を解決するための手段】
【０００９】
上述した課題を解決し、目的を達成するために、本発明は、貨幣を含む有価媒体を内部に収納して該有価媒体のデータを管理する有価媒体処理装置であって、種類を自動識別できない損傷媒体を収納する収納部と、前記損傷媒体の価値及び種類が登録された入金データ、並びに該入金データに登録された前記損傷媒体の画像である媒体画像が保存された記憶部と、前記収納部に収納された前記損傷媒体の枚数を取得する収納枚数取得部と、精査処理として、前記入金データに登録された損傷媒体の媒体画像に基づく価値及び種類が前記入金データに登録された前記損傷媒体の価値及び種類と一致することを確認するための登録データ確認処理、並びに前記収納部に収納された前記損傷媒体の収納枚数が前記入金データに登録された前記損傷媒体の登録数と一致することを確認する登録数確認処理を行う制御部とを備えることを特徴とする。
【００１０】
また、本発明は、上記発明において、前記媒体画像を表示する表示部をさらに備え、前記記憶部に前記有価媒体の画像であるサンプル画像が保存されており、前記制御部は、前記登録データ確認処理時に、前記入金データに登録された損傷媒体の媒体画像と前記入金データに登録された前記損傷媒体の種類に対応する前記サンプル画像とを並べて表示することを特徴とする。
【００１１】
また、本発明は、上記発明において、前記損傷媒体の価値及び種類を入力するための操作部をさらに備え、前記制御部は、前記登録データ確認処理時に、前記操作部による前記損傷媒体の価値及び／又は種類の修正入力を受け付けて、該修正入力に基づき前記記憶部に保存された前記入金データを修正することを特徴とする。
【００１２】
また、本発明は、上記発明において、前記制御部は、前記入金データに登録された全てのデータについて前記登録データ確認処理を行った後に前記登録数確認処理を行うことを特徴とする。
【００１３】
また、本発明は、上記発明において、前記収納部に収納された損傷媒体から特徴量を取得する特徴取得部をさらに備え、前記記憶部に前記入金データに登録された前記損傷媒体の特徴量が登録された特徴データが保存されており、前記制御部は、前記特徴取得部によって取得した損傷媒体の特徴量が前記特徴データと一致することを確認する処理を行うことを特徴とする。
【００１４】
また、本発明は、貨幣を含む有価媒体を内部に収納して該有価媒体のデータを管理する有価媒体処理装置であって、種類を自動識別できない損傷媒体を収納する収納部と、前記損傷媒体の価値及び種類が登録された入金データ、並びに該入金データに登録された前記損傷媒体の特徴量が登録された特徴データが保存された記憶部と、前記収納部に収納された損傷媒体から特徴量を取得する特徴取得部と、精査処理として、前記特徴取得部によって取得した特徴量が前記特徴データに登録された特徴量と一致することを確認する特徴量確認処理を行う制御部とを備えることを特徴とする。
【００１５】
また、本発明は、上記発明において、前記記憶部に前記入金データに登録された前記損傷媒体の画像である媒体画像が保存されており、前記制御部は、前記入金データに登録された損傷媒体の媒体画像に基づく価値及び種類が前記入金データに登録された前記損傷媒体の価値及び種類と一致することを確認するための登録データ確認処理を行うことを特徴とする。
【００１６】
また、本発明は、上記発明において、前記制御部は、前記特徴量確認処理で前記特徴取得部によって取得した特徴量が前記特徴データに登録された特徴量と一致しない損傷媒体についてのみ、前記登録データ確認処理を行うことを特徴とする。
【００１７】
また、本発明は、上記発明において、前記損傷媒体の所定位置の長さ及び／又は前記損傷媒体を透過する透過光量に関する値が特徴量として前記特徴データに登録されることを特徴とする。
【００１８】
また、本発明は、上記発明において、前記収納部を複数有し、前記制御部は、前記精査処理を収納部単位で実行することを特徴とする。
【００１９】
また、本発明は、有価媒体処理装置により貨幣を含む有価媒体を管理する有価媒体処理方法であって、種類を自動識別できない損傷媒体を収納部に収納する収納工程と、前記損傷媒体の価値及び種類を入金データに登録すると共に、該入金データに登録された前記損傷媒体の画像である媒体画像を保存するデータ保存工程と、精査処理として、前記入金データに登録された損傷媒体の媒体画像に基づく価値及び種類が前記入金データに登録された前記損傷媒体の価値及び種類と一致することを確認するための登録データ確認工程と、前記精査処理として、前記収納部に収納された前記損傷媒体の枚数を取得して、取得枚数が前記入金データに登録された前記損傷媒体の登録数と一致することを確認する登録数確認工程とを含んだことを特徴とする。
【００２０】
また、本発明は、有価媒体処理装置により貨幣を含む有価媒体を管理する有価媒体処理方法であって、種類を自動識別できない損傷媒体を収納部に収納する収納工程と、前記損傷媒体の価値及び種類を入金データに登録すると共に、該入金データに登録された前記損傷媒体の特徴量を特徴データに登録するデータ登録工程と、前記収納部に収納された損傷媒体から特徴量を取得する特徴取得工程と、精査処理として、前記特徴取得工程によって取得した特徴量が前記特徴データに登録された特徴量と一致することを確認する特徴量確認工程とを含んだことを特徴とする。
【発明の効果】
【００２１】
本発明によれば、従来の貨幣処理装置で金種を識別できないほど損傷した紙幣等の損傷媒体を収納部に収納すると共に、別途入力された損傷媒体の価値及び種類が登録された入金データと、損傷媒体を撮像した媒体画像とを関連付けて管理することができる。そして、媒体画像から認識される価値及び種類が入金データに登録された価値及び種類と一致することを確認する処理と、収納部に収納された損傷媒体現物の枚数が入金データに登録された損傷媒体の登録数と一致することを確認する処理とによって、損傷媒体現物とデータとが対応することを確認する精査処理を行うことができるので、精査処理に係る負担を軽減することができる。
【００２２】
また、本発明によれば、入金データに登録された損傷媒体の価値及び種類と、この損傷媒体から取得した特徴量とを関連付けて管理しておいて、収納部に収納された損傷媒体現物から特徴量を取得して、この特徴量が入金データに関連付けて管理される特徴量と一致することを確認する処理によって、損傷媒体現物とデータとが対応することを確認する精査処理を行うことができるので、精査処理に係る処理負担を軽減することができる。
【図面の簡単な説明】
【００２３】
【図１】図１は、本実施形態に係る有価媒体処理装置の構成概略を示すブロック図である。
【図２】図２は、入金データ及び特徴データの例を示す図である。
【図３】図３は、入金データを確認する際に表示される画面例を示す図である。
【図４】図４は、入金データの確認及び収納枚数の確認を行った後に表示される画面例を示す図である。
【図５】図５は、損傷券から取得した特徴量が特徴データに登録された特徴量と一致することを確認する処理を説明する図である。
【図６】図６は、特徴データの確認及び収納枚数の確認を行った後に表示される画面例を示す図である。
【図７】図７は、入金データを確認する処理の処理手順を説明するフローチャートである。
【図８】図８は、特徴データを確認する処理の処理手順を説明するフローチャートである。
【発明を実施するための形態】
【００２４】
以下に、添付図面を参照して、本発明に係る有価媒体処理装置及び有価媒体処理方法の好適な実施形態を詳細に説明する。本実施形態に係る有価媒体処理装置は、損傷紙幣や損傷硬貨を含む貨幣、小切手、手形等、様々な有価媒体を処理対象とするものであるが、以下では、紙幣を例に説明を行う。
【００２５】
図１は、有価媒体処理装置１の構成概略を説明するブロック図である。有価媒体処理装置１は、従来の貨幣処理装置では受け付けられない損傷券を受け付けて装置内部の収納部４２に収納すると共に損傷券の価値を入金データとして受け付ける入金処理と、入金済みの損傷券を精査する精査処理とを行う機能を有している。
【００２６】
なお、損傷券の価値とは、損傷券の貨幣価値を示すものである。例えば、日本銀行では、損傷券が、一部が破れて欠損した紙幣である場合には、紙幣全体の面積に対する残存面積の割合が２／３以上の場合は金種の全額の価値、２／５以上かつ２／３未満の場合は当該紙幣の金種の半額の価値、２／５未満の場合は価値がないと規定されている。
【００２７】
入金処理では、入金された損傷券の画像が画像データ２１として記憶部２０に保存され、券種や価値等の情報が入金データ２２として記憶部２０に保存され、損傷券の現物は装置内の収納部４２に収納される。精査処理では、入金済みの損傷券の券種や価値等の入金データ２２に誤りがないことを確認するための処理と、誤りがないことが確認された入金データ２２と収納部４２に収納された損傷券の現物とが一致するか否かを確認するための処理とが行われる。なお、券種とは紙幣の金種及び新旧に関する種類を特定するもので、例えば、金種が同じ一万円の紙幣が、新旧によってＤ一万円券やＥ一万円券というように区別される。
【００２８】
図１を参照しながら有価媒体処理装置１の構成について説明する。有価媒体処理装置１は、各部の動作を制御する制御部１０と、制御部１０で利用する各種データの保存に利用される不揮発性メモリ等から成る記憶部２０と、処理対象の有価媒体を撮像するための画像撮像センサ３１と、有価媒体の特徴を計測するための特徴計測センサ３２と、装置内で損傷券を搬送する搬送部４１と、入金された損傷券を収納する収納部４２と、損傷券を一時的に収納するための一時保留部４３と、有価媒体処理装置１への情報入力と処理内容及び処理結果に関する各種の情報表示とを行うための液晶タッチパネル等から成る操作表示部５１とを有している。
【００２９】
画像取得部１１は、搬送部４１から得られる損傷券の搬送タイミングに基づいて、ラインセンサ等から成る画像撮像センサ３１を制御して、損傷券全面の画像を取得する機能を有する。画像撮像センサ３１は、損傷券の表面画像及び裏面画像を取得できるように、搬送路の両側に設けられている。入金処理時に、各損傷券の画像が取得され、画像データ２１として記憶部２０に保存される。
【００３０】
特徴取得部１２は、特徴計測センサ３２によって、損傷券の形状や厚み等の特徴量を取得する機能を有する。損傷券を搬送する搬送路上に、損傷券の通過タイミングを判定するために設けられた投受光センサを、特徴計測センサ３２として利用する。投受光センサでは、投光部から照射されて受光部で受光される光が損傷券によって遮られることによって、損傷券が検出される。特徴取得部１２は、損傷券により投受光部で光が遮られた時間長と搬送部４１から得られる損傷券の搬送速度から損傷券の長さを算出して特徴量の１つとして利用する。損傷券が、一部が欠損した紙幣である場合には、欠損した部分で、通常の紙幣とは異なる長さを示すので、この値を特徴量として利用することができる。
【００３１】
また、特徴取得部１２は、損傷券が無いときの受光量と損傷券で遮られたときの受光量との比、すなわち損傷券の通過による遮光の程度を示す値を、損傷券の透過率として算出して、特徴量の１つとして利用する。具体的には、損傷券が通過する間に得られた透過率で、最小値、最大値、平均値、積分値等の中から一又は複数の値を選択して特徴量とする。例えば、損傷券が、破れた部分をテープでつないだ紙幣である場合は、このテープ部分が通過する際に通常部分とは異なる透過率を示す。また、損傷券の途中に孔が開いていたり、汚れが付着したりしている場合にも透過率が変化する。このように損傷券の状態に応じて異なる透過率を示すため、この値を特徴量として利用することができる。
【００３２】
入金処理時に、特徴取得部１２によって各損傷券の特徴量が取得され、特徴データ２３として記憶部２０に保存される。記憶部２０では、損傷券の画像データ２１、入金データ２２及び特徴データ２３が関連付けて保存される。入金データ２２には、損傷券の搬送先に関するデータも含まれるため、有価媒体処理装置１では、入金された各損傷券の画像、券種、価値、損傷券が収納された収納部４２、収納部４２内での損傷券の位置を特定することができる。収納部４２内での位置とは、収納部４２に収納された損傷券を、順に、搬送路に繰り出した場合に、何番目に繰り出されるかを示す情報である。これにより、精査処理時には、入金済みの損傷券を収納部４２から繰り出して、特徴取得部１２によって取得した特徴量が、記憶部２０に保存された入金済損傷券の特徴データ２３と一致するか否かを判定することができる。
【００３３】
収納枚数取得部１３は、収納部４２に収納中の損傷券現物の枚数を計数する機能を有する。具体的には、収納部４２に収納された損傷券を繰り出して一時保留部４３に収納しながら枚数を計数する。枚数計数を終了した後、一時保留部４３の損傷券を繰り出して、元通りに収納部４２に収納する。精査処理時に、収納枚数取得部１３により、収納部４２に収納された損傷券の枚数を確認する処理が行われる。
【００３４】
画像判定部１４は、損傷券画像と、正常な紙幣を撮像したサンプル画像との一致度を判定する機能を有する。例えば、画像マッチング技術を利用して、損傷券画像とサンプル画像の一致度を示す数値を算出する。また、画像判定部１４は、損傷券画像から紙幣の特徴部を示す部分領域画像を切り出して比較したり、損傷券画像から読取可能な紙幣の特徴を数値化して比較したりする機能も有している。例えば、画像判定部１４は、入金処理時には、損傷券画像に基づいて、入金された損傷券の券種を識別する。また、精査処理時には、入金データ２２に登録された損傷券の画像と、入金データ２２に登録されたこの損傷券の券種に対応するサンプル画像とを比較して、損傷券の券種がサンプル画像の券種と一致するか否かを判定する。
【００３５】
また、画像判定部１４は、判定に利用した損傷券画像や、損傷券画像から取得した特徴量を操作表示部５１の画面上に表示する機能を有している。例えば、画像判定部１４は、損傷券画像から、紙幣全体の面積に対する残存面積の割合を求めて、損傷券の価値を判断するための補助情報として表示する。また、損傷券画像とサンプル画像の一致度を示す数値を、損傷券の券種を判断するための補助情報として表示する。
【００３６】
特徴判定部１５は、精査処理時に、入金済みの損傷券を収納部４２から繰り出して、特徴取得部１２によって取得された特徴量と、この損傷券に対応して記憶部２０に特徴データ２３として保存された特徴量とが一致するか否かを判定する機能を有する。
【００３７】
記憶部２０には、入金された損傷券から取得された画像データ２１、入金データ２２及び特徴データ２３の他に、判定用データ２４が保存されている。判定用データ２４として、例えば、損傷券画像と比較するための各券種の紙幣のサンプル画像や、サンプル画像上で各券種の紙幣であることを判断するために利用可能な特徴部に関する情報等が保存されている。
【００３８】
なお、図１では、説明を簡単にするため、収納部４２を１つしか示していないが、有価媒体処理装置１内には、複数の収納部４２が設けられており、有価媒体の種類に応じて対応する収納部４２に収納されるようになっており、後述する各精査処理は収納部毎に行われる。
【００３９】
次に、有価媒体処理装置１で行われる有価媒体処理について説明する。本実施形態に係る有価媒体処理は入金済み損傷券の精査処理に関するものであるが、精査処理に利用するデータについて説明するため、まず、精査処理の前段階で行われる入金処理について簡単に説明する。
【００４０】
有価媒体処理装置１の操作者が、各操作者を識別するために割り当てられた操作者ＩＤ及びパスワードを操作表示部５１に入力して、入金処理を開始する。このとき、操作者は、入金する損傷券に関連する処理があれば、この処理を特定する処理Ｎｏ．も入力する。具体的には、例えば、従来利用されている貨幣処理装置に紙幣を入金して、この貨幣処理装置では受け付けできずにリジェクトされた損傷券を有価媒体処理装置１に入金する場合に、操作者は、先に従来装置に入金した際の入金処理Ｎｏ．を有価媒体処理装置１に入力する。
【００４１】
操作員によって有価媒体処理装置１に損傷券が投入されると、この損傷券が装置内部に繰り出されて搬送部４１によって搬送される。そして、画像取得部１１によって、搬送路両側に設けられた画像撮像センサ３１が制御されて、損傷券の表面画像及び裏面画像が取得される。また、特徴取得部１２によって、損傷券の長さや透過率等の特徴量が取得される。
【００４２】
そして、損傷券を一時保留部４３に収納した状態で、損傷券の券種や価値を入力する処理が行われる。操作表示部５１の画面上には、画像取得部１１によって取得された損傷券画像と、損傷券画像に対応する券種の紙幣のサンプル画像と、損傷券の価値を判断するための残存面積割合等の補助情報とが表示される。なお、サンプル画像は、判定用データ２４として記憶部２０に保存されており、画像判定部１４による損傷券画像の券種識別結果に基づいて表示される。
【００４３】
有価媒体処理装置１には、従来の貨幣処理装置では受け付けできない損傷券が投入されるため、券種や価値の入力は、操作者によって行われる。操作者は、操作表示部５１の画面上に表示された画像や情報を確認しながら操作表示部５１を操作して、損傷券の券種や価値を入力して、入金を確定する。入金が確定されると、一時保留部４３に収納されていた損傷券が繰り出されて、対応する収納部４２に収納される。収納部４２に収納された損傷券の画像データ２１、入金データ２２及び特徴データ２３は、関連付けた状態で記憶部２０に保存される。
【００４４】
図２は、記憶部２０に保存される入金データ２２及び特徴データ２３の例を示す図である。このように、入金データ２２には、損傷券の入金処理に個別に割り当てられた処理Ｎｏ．と、入金された各損傷券に個別に割り当てられた紙幣Ｎｏ．と、入金処理を行った操作者ＩＤと、入金処理日時と、損傷券が収納された収納部４２を特定する収納場所と、操作者によって入力された損傷券の券種及び価値と、この損傷券に関連する処理Ｎｏ．とが含まれる。また、特徴データ２３には、損傷券から取得された媒体長と透過率とが含まれる。
【００４５】
例えば、図２の例では、従来装置で行われた関連処理Ｎｏ．Ｘ０００１の入金処理中にリジェクトされた損傷券が、有価媒体処理装置１で、処理Ｎｏ．００１の入金処理として入金されたことを示している。また、紙幣Ｎｏ．００１の損傷券は、Ｅ券の一万円札であるが、一部が欠損して媒体長が８２ｍｍしかなく、５０００円分の価値しか有さないことを示している。また、紙幣Ｎｏ．００２の損傷券は、欠損が無いＥ券の一万円札で１６０ｍｍの長さを有しているが、ひどい汚れが付着しているために、透過率の値が低くなっている。また、収納場所を示す情報「Ｍ００１−Ａ」は、有価媒体処理装置１を特定可能な識別番号（Ｍ００１）と、この有価媒体処理装置１内の収納部４２を特定する情報（Ａ）とを組み合わせた情報となっている。なお、透過率の値は、特徴計測センサ３２で利用する光の波長や損傷券の状態等によって変化するもので、図２に示した透過率の値は例示である。
【００４６】
こうして、有価媒体処理装置１に損傷券が入金されて、関連するデータが記憶部２０に保存された状態で、本実施形態に係る精査処理が開始される。有価媒体処理装置１における精査処理では、操作者によって入力されて記憶部２０に保存された入金データ２２に誤りがないことを確認するための処理と、誤りがないことが確認された入金データ２２の内容と収納部４２に収納された損傷券現物とが一致することを確認する処理とが行われる。
【００４７】
図３は、入金データ２２の内容を確認する際に、操作表示部５１の画面６０上に表示される内容の例を示す図である。入金データ２２の確認は、操作員を管理する立場にある役席者が、操作員によって入力された損傷券の入金データ２２を１つずつ確認することによって行われる。
【００４８】
画面６０には、図３に示すように、図２に示す入金データ２２の内容を示す入金データ情報６１と、この入金データ情報６１に示された券種に対応する表面及び裏面のサンプル画像６３と、入金データ情報６１に対応する損傷券の表面及び裏面の損傷券画像６５とが表示される。なお、ここで表示される情報は、収納部４２に収納済みの損傷券を搬送路に繰り出して再取得するものではなく、記憶部２０に保存された画像データ２１及び入金データ２２から取得される情報である。
【００４９】
サンプル画像６３では、この券種の紙幣であるか否かを判定するために有用な特徴部６４が示される。役席者は、画面６０に表示されたサンプル画像６３と損傷券画像６５を比較したり、サンプル画像６３上の特徴部６４の存在を損傷券画像６５上で確認したりすることにより、入金データ情報６１に誤りがないことを確認する。
【００５０】
また、画面６０には、画像判定部１４によって損傷券画像６５から取得された補助情報６６が表示される。補助情報６６として、例えば、損傷券画像６５の券種と、この券種の紙幣に対する損傷券画像６５の残存部の割合と、この割合に基づく価値とが表示される。補助情報６６として得られた券種及び価値が、入金データ情報６１の券種及び価値と一致する場合には補助情報６６の右側に「ＯＫ」と表示され、一致しない場合には「要確認」と表示される。また、補助情報６６として、損傷券画像６５とサンプル画像を比較した結果である一致率が表示される。ここでも、一致率が所定しきい値以上である場合に「ＯＫ」と表示されて、しきい値より小さい場合には「要確認」と表示される。役席者は、画像に加えて、これらの補助情報６６を参照しながら、入金データ情報６１に誤りがないことを確認することができる。
【００５１】
また、図２に関連処理Ｎｏ．として示した入金処理がある場合には、図３に示す画面６０に、関連処理情報６２が表示される。表示される関連処理情報６２には、この関連処理で入金された紙幣及び硬貨のうち、有価媒体処理装置１に入金された損傷券の枚数が括弧を付して表示される。
【００５２】
図３に示す例では、従来の貨幣処理装置で行われた入金処理Ｎｏ．Ｘ０００１で入金された６枚の一万円札のうち、括弧で示された２枚が、有価媒体処理装置１に入金されたことを示している。同様に、入金処理Ｎｏ．Ｘ０００１のうち、１枚の五千円札と、１枚の千円札とが有価媒体処理装置１に入金されている。これら合計４枚の損傷券が有価媒体処理装置１に入金処理Ｎｏ．００１として入金され、画面６０には紙幣Ｎｏ．００１の１枚目の損傷券である一万円札が表示されている。
【００５３】
役席者は、画面６０上で入金データ情報６１と損傷券画像６５とが一致していることを確認するとＯＫボタンを押して、次のデータを確認する。また、入金データ情報６１の内容と損傷券画像６５で示された内容とが一致せず、修正が必要である場合には、修正ボタンを押して、入金データ情報６１を修正する。修正内容は、記憶部２０内の入金データ２２に反映される。
【００５４】
こうして各データの内容を確認して、記憶部２０に保存されている入金データ２２の確認を完了すると、続いて、収納部４２に保存された損傷券の枚数を確認する処理が行われる。具体的には、収納枚数取得部１３が、収納部４２に収納中の損傷券現物の枚数を確認する。そして、損傷券現物の枚数と、記憶部２０の入金データ２２に登録されている損傷券の枚数とが一致した場合には、図４に示すように、操作表示部５１の画面上に、問題なく精査処理を完了したことを示す情報が表示される。
【００５５】
このように、有価媒体処理装置１では、記憶部２０に保存された入金データ２２の内容に誤りがないことを役席者が操作表示部５１上で目視確認すると共に、収納部４２に収納中の損傷券現物の枚数を自動計数することにより、精査処理を行うことができる。損傷券の種類を仕分けたり、価値を確認しながら合計金額を求めたりする作業が不要となるため、精査処理に係る処理負担を軽減することができる。
【００５６】
本実施形態に係る有価媒体処理装置１では、図３及び図４を参照しながら説明した方法とは異なる方法で精査処理を行うこともできる。図５は、記憶部２０に保存された特徴データ２３を利用して行う精査処理を説明するための図である。図５に示す方法では、収納部４２に収納された損傷券現物と、図２に示すように記憶部２０で入金データ２２と関連付けて保存された特徴データ２３とが一致することを確認する。
【００５７】
具体的には、収納部４２に収納された損傷券を順に搬送路上に繰り出して、図５に矢印で示したように、一時保留部４３へ向けて搬送する。収納部４２から一時保留部４３へ至る搬送路上には特徴計測センサ３２が設けられている。特徴取得部１２は、特徴計測センサ３２を通過する時間及び搬送速度から各損傷券の媒体長Ｌ１、Ｌ２を算出すると共に、各損傷券での透過率を算出する。そして、特徴判定部１５が、特徴取得部１２によって取得された媒体長及び透過率の特徴と、この損傷券に対応して記憶部２０に保存されている特徴データ２３とを比較する。特徴判定部１５は、計測した各特徴量と、特徴データ２３に登録された特徴量とが、予め設定された所定の誤差範囲内で一致した場合に、記憶部２０に保存された損傷券の入金データ２２と収納部４２に収納された損傷券現物とが一致すると判定する。こうして、収納部４２に収納された全ての損傷券を繰り出して、特徴計測センサ３２によって実測した特徴量と、入金時に保存された特徴データ２３とを比較する処理が行われる。このとき、特徴判定部１５は、特徴計測センサ３２を通過した損傷券の枚数も計数する。
【００５８】
全ての損傷券で特徴量の実測値と登録データとが一致すると共に、収納部から繰り出された損傷券の合計枚数が記憶部２０の入金データ２２に登録された損傷券の枚数と一致した場合に、図６に示すように、操作表示部５１の画面上に、問題なく精査処理を完了したことを示す情報が表示される。
【００５９】
このように、有価媒体処理装置１では、記憶部２０に保存された特徴データ２３に登録されたデータと収納部４２に収納中の損傷券現物の特徴量とを比較して得られた比較結果と、収納部４２に収納中の損傷券の合計枚数とに基づいて、精査処理を行うことができる。この方法では、特徴量の計測及び比較と枚数計数する処理とが、全て有価媒体処理装置１内で自動的に行われるため、精査処理に係る処理負担を大きく軽減することができる。
【００６０】
次に、有価媒体処理装置１で実行可能な２種類の精査処理の処理手順を説明する。図７は、図３及び図４を参照しながら説明したように、記憶部２０の入金データ２２に誤りがないことを確認する処理と、収納部４２に収納された損傷券現物枚数を確認する処理とによって行われる精査処理の処理手順を示すフローチャートである。
【００６１】
まず、図３に示したように、記憶部２０を参照して、入金データ２２に登録された損傷券の入金データ情報６１が操作表示部５１の画面６０に表示される（ステップＳ１０）。さらに記憶部２０を参照して、この損傷券に対応するサンプル画像６３と損傷券画像６５が、同じ画面６０上に表示される（ステップＳ１１）。
【００６２】
また、画面６０には、画像判定部１４によって取得された損傷券画像６５の券種、価値、損傷券画像とサンプル画像の一致率等、損傷券画像６５から取得された補助情報６６が表示される（ステップＳ１２）。
【００６３】
続いて、画面６０のサンプル画像６３及び補助情報６６を参考にして、損傷券画像６５の示す内容と損傷券の入金データ情報６１とが一致するか否かの判定が行われる（ステップＳ１３）。一致しない場合には（ステップＳ１３；Ｎｏ）、操作表示部５１を操作して、損傷券の入金データ情報６１を修正する処理、すなわち記憶部２０に保存された入金データ２２の情報を修正する処理が行われる（ステップＳ１４）。
【００６４】
一方、損傷券画像６５の示す内容と損傷券の入金データ情報６１とが一致する場合には（ステップＳ１３；Ｙｅｓ）、操作表示部５１を操作して、入金データ２２が承認される（ステップＳ１５）。入金データ２２に、確認すべき損傷券のデータが残っている間は（ステップＳ１６；Ｎｏ）、これらの処理（ステップＳ１０〜Ｓ１５）が繰り返される。
【００６５】
そして、入金データ２２の全てのデータ確認を終えると（ステップＳ１６；Ｙｅｓ）、続いて、収納枚数取得部１３により、収納部４２に収納中の損傷券現物の枚数を計数する処理が行われる（ステップＳ１７）。
【００６６】
そして、収納部４２に収納されていた損傷券現物の枚数と、先に承認された入金データ２２に登録された損傷券データの数とが一致するか否かを判定する（ステップＳ１８）。ここで、現物枚数とデータ数とが一致しない場合には（ステップＳ１８；Ｎｏ）、収納部４２に収納中の損傷券現物と入金データ２２に登録された損傷券データとを照合する処理が行われる（ステップＳ１９）。具体的には、例えば、収納部４２から全ての損傷券を取り出して、有価媒体処理装置１に再入金する作業や、入金データ２２に登録された損傷券情報や損傷券画像等のデータを操作表示部５１に表示しながら損傷券現物と照合する作業を行うことになる。
【００６７】
一方、損傷券現物を計数した枚数と入金データ２２に登録された損傷券のデータ数とが一致した場合には（ステップＳ１８；Ｙｅｓ）、入金データ２２と収納部４２に収納された損傷券現物とが一致すると結論付けて精査処理を完了する。
【００６８】
損傷券の現物とデータとを照合する従来精査時に行われていた作業は、損傷券現物枚数と入金データ２２のデータ数とが一致しない場合にのみ行えばよく、損傷券現物枚数とデータ数とが一致する場合には、これらの作業が不要となるので、精査処理に係る処理負担を従来よりも軽減することができる。
【００６９】
次に、図８は、図５及び図６を参照しながら説明したように、記憶部２０の特徴データ２３と収納部４２に収納された損傷券現物を実測した特徴量とが一致することを確認する処理と、収納部４２に収納中の損傷券現物の枚数を確認する処理とによって行われる精査処理の処理手順を示すフローチャートである。
【００７０】
まず、収納部４２から損傷券現物を繰り出して（ステップＳ２０）、特徴取得部１３により、各損傷券現物の特徴量が取得される（ステップＳ２１）。特徴量が取得された損傷券は一時保留部４３に収納される。
【００７１】
次に、特徴判定部１５が、記憶部２０を参照して、特徴量が取得された損傷券に対応して特徴データ２３に登録されたデータを読み出して（ステップＳ２２）、損傷券現物から取得した特徴量と比較する（ステップＳ２３）。
【００７２】
損傷券現物から取得した特徴量と特徴データ２３に登録されたデータとが一致した場合には（ステップＳ２３；Ｙｅｓ）、次の処理へ進み、入金データ２２に確認すべき損傷券のデータが残っている間は（ステップＳ２４；Ｎｏ）、これらの処理（ステップＳ２０〜Ｓ２３）が繰り返される。
【００７３】
データと実測値とが所定の誤差範囲内で一致しない場合には（ステップＳ２３；Ｎｏ）、収納部４２に収納された損傷券の現物と入金データ２２に登録されたデータとを照合する処理が行われる（ステップＳ２６）。例えば、収納部４２から、不一致となった損傷券又は全ての損傷券を取り出して、有価媒体処理装置１に再入金する処理や、入金データ２２に登録された損傷券情報や損傷券画像等のデータを操作表示部５１に表示しながら損傷券現物と照合する処理を行うことになる。
【００７４】
入金データ２２の全てのデータ確認を終えると（ステップＳ２４；Ｙｅｓ）、続いて、収納部４２から繰り出した損傷券現物の枚数と、入金データ２２に登録されたデータ数とを比較する処理が行われる（ステップＳ２５）。
【００７５】
収納部４２に収納されていた損傷券現物の枚数と、入金データ２２に登録された損傷券の数とが一致しない場合には（ステップＳ２５；Ｎｏ）、収納部４２に収納された損傷券の現物と入金データ２２に登録された損傷券データとを照合する処理が行われる（ステップＳ２６）。
【００７６】
一方、損傷券現物を計数した枚数と入金データ２２に登録された損傷券のデータ数とが一致した場合には（ステップＳ２５；Ｙｅｓ）、入金データ２２と収納部４２に収納された損傷券現物とが一致すると結論付けて精査処理を完了する。
【００７７】
本実施形態では、入金データ２２に登録された損傷券の各データを確認する処理と、収納部４２に収納中の損傷券現物の枚数が入金データ２２に登録されたデータ数と一致することを確認する処理とを組み合わせて精査処理を行う場合と、特徴データ２３に登録された損傷券の各データと収納部４２に収納中の損傷券現物で実測した特徴量とが一致することを確認する処理と、収納部４２に収納された損傷券現物の枚数が入金データ２２のデータ数と一致することを確認する処理とを組み合わせて精査処理を行う場合とを示した。これら２つの方法のうち、いずれの方法により精査処理を行うかは、操作表示部５１を操作して選択できるようになっている。
【００７８】
精査処理の方法についても、操作表示部５１を操作して変更できるようになっており、例えば、入金データ２２に登録された損傷券の各データを確認する処理（登録データ確認処理）、特徴データ２３に登録された損傷券の各データと収納部４２に収納中の損傷券現物で実測した特徴量とが一致することを確認する処理（特徴量確認処理）、収納部４２に収納中の損傷券現物の枚数が入金データ２２のデータ数と一致することを確認する処理（登録数確認処理）の３つの処理のうち、いずれか１つ又は２つを選択することもできるし、３つ全てを選択して、精査処理を行うこともできる。具体的には、例えば、図８に示す処理について、記憶部２０の入金データ２２と特徴データ２３とが関連付けて保存されていることから、特徴データ２３と損傷券現物の特徴量の全てが一致すれば、入金データ２２の登録データ数と損傷券現物の収納枚数とについても一致していると判定して、ステップＳ２５の登録数確認処理を省略する態様であってもよい。また、図７に示す処理で、損傷券現物の枚数計数時に各損傷の特徴量を取得して、登録数確認処理と特徴量確認処理とを並行して行う態様であってもよい。
【００７９】
また、最初に記載したように、有価媒体処理装置１では、損傷券以外に、小切手や手形についても同様の処理を行うことができるし、損傷硬貨についても同様の処理を行うことができる。
【００８０】
また、有価媒体の特徴量として、特徴計測センサ３２を構成する投受光部で受光量の変化に基づいて媒体長や透過率を利用する例を示したが、この他、受光量の変化を示す波形を特徴量として利用してもよい。例えば、各有価媒体がセンサ位置を通過するときの受光量の変化を示す波形を特徴データ２３として保存しておいて、収納部４２に収納された有価媒体現物から再取得した受光量の変化を示す波形との相関係数を求め、特徴データ２３を取得した有価媒体と収納部４２に収納された有価媒体現物とが一致するか否かを確認する態様であってもよい。また、特徴量は透過光を利用して取得する態様に限定されず、例えば、有価媒体に向けて所定光を照射した際に有価媒体から反射される光の特性等を利用する態様であってもよい。特徴計測センサ３２を構成する投光部及び受光部のうち、投光部側にもう１つの受光部を設ければ、反射光を測定することができる。
【００８１】
上述してきたように、本実施形態に係る有価媒体処理装置１では、従来の貨幣処理装置では受け付けられなかった損傷券等の有価媒体を有価媒体処理装置１に収納すると共に、券種や価値等、有価媒体に係る入金データ２２を記憶部２０に保存して入金データを管理することができる。また、有価媒体処理装置１に入金された有価媒体の画像データ２１、入金データ２２及び特徴データ２３を利用して、入金データ２２に登録されたデータと装置内に収納された有価媒体現物とが一致することを確認する精査処理を行うことができるので、従来のように、全ての有価媒体現物を目視確認しながらデータと照合する処理を行う場合に比べて、容易かつ正確に精査処理を行うことができる。
【産業上の利用可能性】
【００８２】
以上のように、本発明に係る有価媒体処理装置及び有価媒体処理方法は、従来の貨幣処理装置では受け付けられない損傷券等の有価媒体を受け付けて収納し、該有価媒体を該有価媒体に係る入金データを利用して管理すると共に、入金データと装置内に収納された有価媒体現物との一致を確認する精査処理を行うために有用である。
【符号の説明】
【００８３】
１  有価媒体処理装置
１０  制御部
１１  画像取得部
１２  特徴取得部
１３  収納枚数取得部
１４  画像判定部
１５  特徴判定部
２０  記憶部
３１  画像撮像センサ
３２  特徴計測センサ
４１  搬送部
４２  収納部
４３  一時保留部
５１  操作表示部
【図１】
2015060301.tif 000003
【図２】
2015060301.tif 000004
【図３】
2015060301.tif 000005
【図４】
2015060301.tif 000006
【図５】
2015060301.tif 000007
【図６】
2015060301.tif 000008
【図７】
2015060301.tif 000009
【図８】
2015060301.tif 000010